(57)【要約】【課題】部品寸法などの成形精度や組立精度の要求を緩和でき、構造上も大きな力に対しても十分な強度を確保でき、構造の簡素化と成形の容易化を図るすることができるトリガーディスペンサのレバーストッパ機構を提供すること。【解決手段】回転スライドバルブ１１２に連動するストッパアーム１２を設け、ストッパアーム１２とトリガーレバー１０８の側面とに回転スライドバルブが閉塞位置に切り替えられたときにトリガーレバー１０８の操作を規制する互いを係合する貫通部１４と突起部１８とでなる係合部１３を設けるようにする。これにより、ストッパアーム１２を利用して回転スライドバルブ１１２を閉塞位置に回動して、係合部１３の貫通部１４と突起部１８とが互いに係合されてトリガーレバー１０８の操作が規制されると同時に、トリガーレバー１０８の先端部など回動中心ＯＴ　から離れた位置に係合部１３を設けることも可能として簡単な構造で大きな力に耐え得るようにでき、通常の割金型を用いて成形も容易にできるようになる。【選択図】　　　図１
2004025083.tif 000002
【特許請求の範囲】
【請求項１】
吐出ノズル部の先端部に中心軸回りに回動し噴霧位置と閉塞位置とを切り替える回転スライドバルブを備えるとともに、トリガーレバーの操作で一定量ずつ噴射するトリガーディスペンサの前記トリガーレバーの操作を規制するトリガーディスペンサのレバーストッパ機構であって、前記回転スライドバルブの回転に連動するストッパアームを設け、このストッパアームと前記トリガーレバー側面との間に前記回転スライドバルブが閉塞位置に切り替えられたときに互いを係合して前記トリガーレバーの操作を規制する係合部を設けたことを特徴とするトリガーディスペンサのレバーストッパ機構。
【請求項２】
前記係合部を、前記ストッパアームと前記トリガーレバー側面のいずれか一方に設けられる突起部と、前記ストッパアームと前記トリガーレバー側面のいずれか他方に設けられ当該突起部が係合される凹部または貫通部とで構成したことを特徴とする請求項１記載のトリガーディスペンサのレバーストッパ機構。
【請求項３】
前記係合部を構成する前記ストッパアームと前記トリガーレバー側面のいずれか一方に設けられる突起部を、横断面形状を略Ｌ字状に形成したことを特徴とする請求項２記載のトリガーディスペンサのレバーストッパ機構。
【請求項４】
前記係合部を構成する前記ストッパアームと前記トリガーレバー側面のいずれか他方に設けられる凹部または貫通部の当該トリガーレバーの引き込み操作の反規制側に、開口部を形成して構成したことを特徴とする請求項２記載のトリガーディスペンサのレバーストッパ機構。
【請求項５】
前記係合部に、互いの係合時に乗り越えさせ、その後に抜け止めとなる抜け止め部を形成したことを特徴とする請求項１〜４のいずれかに記載のトリガーディスペンサのレバーストッパ機構。
【請求項６】
前記ストッパアームに、閉塞途中で前記トリガーレバーと干渉するか、あるいは閉塞位置で前記トリガーレバーの後面と当接して引き込み操作を規制する補助規制部を形成したことを特徴とする請求項１〜５のいずれかに記載のトリガーディスペンサのレバーストッパ機構。
【請求項７】
前記ストッパアームを、前記回転スライドバルブに嵌合装着されるバルブカバーに一体に形成したことを特徴とする請求項１〜６のいずれかに記載のトリガーディスペンサのレバーストッパ機構。
【発明の詳細な説明】
【０００１】
【発明の属する技術分野】
この発明はトリガーディスペンサのレバーストッパ機構に関し、回転スライドバルブの閉塞に連動してトリガーレバーによる操作を規制できるようにしたもので、特に構造の簡略化と成形の容易化を図るようにしたものである。
【０００２】
【従来の技術】
浴室用洗剤やトイレ用洗剤などの液体状の内容物を容器内から一定量ずつ噴射させて取り出すためトリガーディスペンサが広く用いられている。
【０００３】
このトリガーディスペンサの構造は、例えば図４に示すように、側方に延びる吐出ノズル部１０１を備えたトリガーヘッド１０２と、このトリガーヘッド１０２と容器１０３とを連結するリテーナ１０４と、このリテーナ１０４の吸込管１１３に接続されるディップチューブ１０５とを備えてトリガーディスペンサ１００が構成されている。
【０００４】
そして、トリガーヘッド１０２の中空部内側には、下方に開口する縦型のシリンダ１０６が設けられてピストン１０７が上下に摺動自在に装着されており、トリガーヘッド１０２に揺動自在に取り付けられたトリガーレバー１０８によってピストン１０７を駆動することができ、これによってシリンダ１０６との間に形成されるポンプ室１０９の容積を変えることができるようになっている。
【０００５】
このポンプ室１０９の吐出側である吐出ノズル部１０１には、吐出弁機構１１０が設けられ、スプリング等のばね力により弁を閉じる方向に付勢され、通常は吐出弁機構１１０は閉状態とされている。
【０００６】
また、ポンプ室１０９とディップチューブ１０５との間には、吸入弁機構１１１が設けられ、内容液の吐出の際に閉じ、吸引の際に開くようにしてある。
【０００７】
したがって、トリガーレバー１０８を引いてピストン１０７を上昇させると、ポンプ室１０９に溜まっていた内容液は加圧され、吐出弁機構１１０を開いて吐出ノズル部１０１から噴霧される。
【０００８】
一方、トリガーレバー１０８を離してピストン１０７を押し下げると、吐出弁機構１１０が閉じられてポンプ室１０９内が負圧になって吸入弁機構１１１が開かれ、ディップチューブ１０５を介して内容液がシリンダ１０６のポンプ室１０９内に吸引される。
【０００９】
このようなトリガーディスペンサ１００によって一定量ずつ内容物を噴霧することができ、回転スライドバルブ１１２のスライド位置を変えることによって内容液の旋回渦流の旋回速度等を調節して噴射状態を発泡状態だけでなく霧状等にしたり、噴射しない閉塞状態にすることができるようになっている。
【００１０】
このようなトリガーディスペンサ１００では、回転スライドバルブ１１２を閉塞状態としたまま、トリガーレバー１０８がわずかに引かれたり、外力などで引かれるのと同等の状態になると、ポンプ室１０９内の内容液の圧力が累積的に上昇し、蓄圧状態となる。
【００１１】
この状態で、回転スライドバルブ１１２が回動されて噴射状態に切り替えられると、その瞬間、ポンプ室１０９内の内容液がその蓄圧された圧力によって不意に噴射され、液垂れを生じてしまう。
【００１２】
そこで、回転スライドバルブが閉塞状態のときには、トリガーレバーを操作できないようにするトリガーディスペンサのストッパ機構が開発されている。
【００１３】
例えば図５に示す国際公開ＷＯ９８／１７３９９号公報に開示されたトリガーディスペンサ１３０では、トリガーレバー１３１の側面に突出させて係合孔１３２を形成しておき、回転スライドバルブ１３３の外面後方に突き出して形成したアーム１３４に、係合孔１３２に係合される係合突起１３５を形成するとともに、アーム１３４の後部のストッパ部１３６をトリガーレバー１３１の後面とシリンダ１３７の先端壁との間に係合するにしてあり、回転スライドバルブ１３３を閉塞状態に回動してトリガーレバー１３１の係合孔１３２にアーム１３４の係合突起１３５を係合すると同時に、アーム１３４の後部のストッパ部１３６をトリガーレバー１３１の後面とシリンダ１３７の先端壁との間に係合してトリガーレバー１３１の操作を規制するようになっている。
【００１４】
【発明が解決しようとする課題】
ところが、このような係合孔１３２に係合突起１３５を係合するとともに、アーム１３４の後部のストッパ部１３６をトリガーレバー１３１とシリンダ１３７の間に係合することでトリガーレバー１３１の操作を規制する場合には、係合孔１３２と係合突起１３５の部品寸法などの成形精度や組立精度が要求され、精度が悪いとスムーズに係合させて操作規制状態にすることができないという問題がある。
【００１５】
また、トリガーレバー１３１の操作を規制する係合孔１３２と係合突起１３５とがトリガーレバー１３１の回動中心に近く、トリガーレバー１３１の先端部に加えられる引き込み力に対抗させるためには、大きな力に耐え得る強度を確保する必要があり、しかもトリガーレバー１３１の側面に突出させ、この部分に垂直に係合孔１３２を形成するためには、単純な割金型では成形できず、スライドコアなどを組み合わせて成形しなければならず、成形も複雑になるという問題がある。
【００１６】
この発明はかかる従来技術の有する課題を解決するためになされたもので、部品寸法などの成形精度や組立精度の要求を緩和でき、構造上も大きな力に対しても十分な強度を確保でき、構造の簡素化と成形の容易化を図ることができるトリガーディスペンサのレバーストッパ機構を提供しようとするものである。
【００１７】
【課題を解決するための手段】
上記従来技術が有する課題を解決するため、この発明の請求項１記載のトリガーディスペンサのレバーストッパ機構は、吐出ノズル部の先端部に中心軸回りに回動し噴霧位置と閉塞位置とを切り替える回転スライドバルブを備えるとともに、トリガーレバーの操作で一定量ずつ噴射するトリガーディスペンサの前記トリガーレバーの操作を規制するトリガーディスペンサのレバーストッパ機構であって、前記回転スライドバルブの回転に連動するストッパアームを設け、このストッパアームと前記トリガーレバー側面との間に前記回転スライドバルブが閉塞位置に切り替えられたときに互いを係合して前記トリガーレバーの操作を規制する係合部を設けたことを特徴とするものである。
【００１８】
このトリガーディスペンサのレバーストッパ機構によれば、回転スライドバルブに連動するストッパアームを設け、ストッパアームとトリガーレバーの側面とに回転スライドバルブが閉塞位置に切り替えられたときにトリガーレバーの操作を規制する互いを係合する係合部を設けるようにしており、ストッパアームを利用して回転スライドバルブを閉塞位置に回動すると、係合部が互いに係合されてトリガーレバーの操作が規制できるようになる。
【００１９】
これにより、トリガーレバーの先端部など回動中心から離れた位置に係合部を設けることも可能として簡単な構造で大きな力に耐え得るようにでき、通常の割金型を用いて成形も容易にできるようになる。
【００２０】
また、この発明の請求項２記載のトリガーディスペンサのレバーストッパ機構は、請求項１記載の構成に加え、前記係合部を、前記ストッパアームと前記トリガーレバー側面のいずれか一方に設けられる突起部と、前記ストッパアームと前記トリガーレバー側面のいずれか他方に設けられ当該突起部が係合される凹部または貫通部とで構成したことを特徴とするものである。
【００２１】
このトリガーディスペンサのレバーストッパ機構によれば、前記係合部を、前記ストッパアームと前記トリガーレバー側面のいずれか一方に設けられる突起部と、前記ストッパアームと前記トリガーレバー側面のいずれか他方に設けられ当該突起部が係合される凹部または貫通部とで構成するようにしており、突起部と凹部または貫通部との簡単な構造で、トリガーレバーの操作を確実に規制できるようにしている。
【００２２】
さらに、この発明の請求項３記載のトリガーディスペンサのレバーストッパ機構は、請求項２記載の構成に加え、前記係合部を構成する前記ストッパアームと前記トリガーレバー側面のいずれか一方に設けられる突起部を、横断面形状を略Ｌ字状に形成したことを特徴とするものである。
【００２３】
このトリガーディスペンサのレバーストッパ機構によれば、突起部の横断面形状を略Ｌ字状に形成するようにしており、角部分の多い形状の突起部とすることで、遊びの影響を少なくして一層確実にトリガーレバーの操作を規制できるようにしている。
【００２４】
また、この発明の請求項４記載のトリガーディスペンサのレバーストッパ機構は、請求項２記載の構成に加え、前記係合部を構成する前記ストッパアームと前記トリガーレバー側面のいずれか他方に設けられる凹部または貫通部の当該トリガーレバーの引き込み操作の反規制側に、開口部を形成して構成したことを特徴とするものである。
【００２５】
このトリガーディスペンサのレバーストッパ機構によれば、前記係合部を構成する凹部または貫通部のトリガーレバーの引き込み操作の反規制側に開口部を形成して構成するようにしており、操作の規制に必ずしも必要としない部分を開口部とすることで凹部や貫通部の成形を一層容易とすると同時に、確実にトリガーレバーの操作は規制できるようにしている。
【００２６】
さらに、この発明の請求項５記載のトリガーディスペンサのレバーストッパ機構は、請求項１〜４のいずれかに記載の構成に加え、前記係合部に、互いの係合時に乗り越えさせ、その後に抜け止めとなる抜け止め部を形成したことを特徴とするものである。
【００２７】
このトリガーディスペンサのレバーストッパ機構によれば、前記係合部に、互いの係合時に乗り越えさせ、その後に抜け止めとなる抜け止め部を形成するようにしており、抜け止め部を乗り越えさせることで係合状態にしたことを確実に認識できるとともに、トリガーレバーの規制状態を確実に保持できるようになる。
【００２８】
また、この発明の請求項６記載のトリガーディスペンサのレバーストッパ機構は、請求項１〜５のいずれかに記載の構成に加え、前記ストッパアームに、閉塞途中で前記トリガーレバーと干渉するか、あるいは閉塞位置で前記トリガーレバーの後面と当接して引き込み操作を規制する補助規制部を形成したことを特徴とするものである。
【００２９】
このトリガーディスペンサのレバーストッパ機構によれば、前記ストッパアームに、閉塞途中で前記トリガーレバーと干渉するか、あるいは閉塞位置で前記トリガーレバーの後面と当接して引き込み操作を規制する補助規制部を形成するようにしており、補助規制部によってもトリガーレバーの操作を規制でき、一層確実にトリガーレバーの操作を規制するようにしている。
【００３０】
さらに、この発明の請求項７記載のトリガーディスペンサのレバーストッパ機構は、請求項１〜６のいずれかに記載の構成に加え、前記ストッパアームを、前記回転スライドバルブに嵌合装着されるバルブカバーに一体に形成したことを特徴とするものである。
【００３１】
このトリガーディスペンサのレバーストッパ機構によれば、前記ストッパアームを、前記回転スライドバルブに嵌合装着されるバルブカバーに一体に形成するようにしており、回転スライドバルブと別体にすることで、成形を一層容易にすることができるようになる。
【００３２】
【発明の実施の形態】
以下、この発明のトリガーディスペンサのレバーストッパ機構の実施の形態について図面に基づき詳細に説明する。
【００３３】
図１および図２はこの発明のトリガーディスペンサのレバーストッパ機構の一実施の形態にかかり、図１は回転スライドバルブの開状態で、（ａ）は概略斜視図、（ｂ）は部分拡大斜視図、図２は回転スライドバルブの閉状態で、（ａ）は正面図、（ｂ）は側面図、（ｃ）は突起部のみの底面図である。
【００３４】
このトリガーディスペンサのレバーストッパ機構１０（以下、単にレバーストッパ機構１０とする）は、例えば図８により既に説明したトリガーディスペンサ１００に付加して設けられ、回転スライドバルブ１１２を閉状態に回動することに連動してトリガーレバー１０８の操作を規制するものである。
【００３５】
このレバーストッパ機構１０では、回転スライドバルブ１１２の外周および前面の周囲を覆うバルブカバー１１を備えており、回転スライドバルブ１１２の前方から嵌合されて一体に回動させることができるようになっている。
【００３６】
このバルブカバー１１には、側方に突き出してストッパアーム１２が一体に形成され、このストッパアーム１２が、回転スライドバルブ１１２を閉状態に回動したとき、略垂直下方に突き出してトリガーレバー１０８の一方の側面に当接するようにバルブカバー１１に配置してあり、このバルブカバー１１の側方に突き出したストッパアーム１２によって回転スライドバルブ１１２の回動操作をわずかな力で簡単に行うことができるようにしてある。
【００３７】
そして、このストッパアーム１２には、略垂直下方に突き出すように回動されてトリガーレバー１０８の回動方向上流側の側面に当接したとき、トリガーレバー１０８の側面と対向する部分１２ａに係合部１３を構成する貫通部１４が設けられ、この貫通部１４は、内側にトリガーディスペンサ１００の前方側が開口部１５とされた矩形状の長い溝１６が形成され、この長い溝１６の前方側の外側を段差部１７によって覆うことで形成してある。
【００３８】
したがって、この貫通部１４はストッパアーム１２の回動方向には貫通した状態となっているが、成形上は、長い溝１６とこれを覆う段差部１７とを組み合わせることで形成できるので、通常の割金型によって成形できることになる。
【００３９】
なお、このストッパアーム１２のトリガーレバー１０８との対抗部分１２ａは、トリガーレバー１０８の回動中心ＯＴ　から離れている方がトリガーレバー１０８の先端部を操作しようとする力に対して小さな力で支えることができることから、トリガーレバー１０８の先端部に近づけて形成することが好ましい。
【００４０】
このようにストッパアーム１２に係合部１３を構成する貫通部１４を形成する一方、トリガーレバー１０８の側面に係合部１３を構成する突起部１８が設けてある。
【００４１】
この突起部１８は、例えばその横断面形状が逆Ｌ字状に形成され、垂直部１８ａが後方に配置され、垂直部１８ａの中央下部に前方に突き出す水平部１８ｂが配置されて構成され、貫通部１４の内側に係合される大きさとしてある。
【００４２】
これら係合部１３を構成する貫通部１４と突起部１８とは、ストッパアーム１２を回動して回転スライドバルブ１１２を閉塞位置に回動した時に互いが係合され、トリガーレバー１０８の引き込み操作を規制するためのものであることから、貫通部１４の後方内側面と突起部１８の後方外側面とが係合当接することで、ストッパとして機能する。
【００４３】
さらに、この突起部１８の垂直部１８ａの後面の外側部分には、抜け止め部１９としてわずかな凸条２０が形成してあり、ストッパアーム１２を回動して貫通部１４を係合させる場合には、まずこの抜け止め部１９の凸条２０を乗り越えるようにした後、凸条２０が貫通部１４の外側に位置し、ストッパアーム１２が外れないようにする抜け止めとして機能する。
【００４４】
また、ストッパアーム１２を操作する場合には、凸条２０を乗り越えた後、滑り落ちるようになることで、トリガーレバー１０８の操作が規制された状態になったことを確実に知ることができる。
【００４５】
このように構成したレバーストッパ機構１０では、回転スライドバルブ１１２にバルブカバー１１を被せるように取り付け、回転スライドバルブ１１２が閉状態に回動されたときにストッパアーム１２が略垂直下方に突き出すようにしておく。
【００４６】
したがって、トリガーディスペンサ１００により内容液を噴射して使用する状態では、回転スライドバルブ１１２が開状態に回動され、例えば図１に示すように、ストッパアーム１２が垂直下方から反時計回りに１２０度回動された斜め上方に位置した状態となる。
【００４７】
一方、保管する場合や輸送する場合などは、回転スライドバルブ１１２を閉状態にするとともに、トリガーレバー１０８を操作できないように規制する必要があり、バルブカバー１１の斜め上方に突き出しているストッパアーム１２を利用して回転スライドバルブ１１２を閉状態にするよう時計回りに１２０度回動し、ストッパアーム１２が垂直下方に位置しトリガーレバー１０８の側面に当たる状態にする。
【００４８】
すると、トリガーレバー１０８の側面の係合部１３を構成する突起部１８にストッパアーム１２の係合部１３を構成する貫通部１４が係合される。
【００４９】
すなわち、ストッパアーム１２を回動して貫通部１４を係合しようとすると、まず突起部１８の抜け止め部１９を構成する凸条２０を乗り越えるようになり、さらにストッパアーム１２を回動すると、突起部１８に貫通部１４が係合されるとともに、凸条２０が貫通部１４の外側に位置して完全な係合状態となり、凸条２０によってストッパアーム１２の抜け止めがなされる。
【００５０】
こうしてストッパアーム１２の貫通部１４とトリガーレバー１０８の側面の突起部１８が係合した状態では、貫通部１４の後方内側面と突起部１８の後方外側面とが係合当接することになり、トリガーレバー１０８を引き込もうとしても操作することができない。
【００５１】
したがって、トリガーレバー１０８がわずかに引かれたり、外力などで引かれるのと同等の状態になることがなく、ポンプ室１０９内の内容液の圧力が累積的に上昇して蓄圧状態となることもなく、回転スライドバルブ１１２を噴射状態に切り替えた場合でもその瞬間、ポンプ室１０９内の内容液が不意に噴射されたり、液垂れを生じることがない。
【００５２】
また、このレバーストッパ機構１０では、ストッパアーム１２に設けた貫通部１４をトリガーレバー１０８の側面の突起部１８に係合してトリガーレバー１０８の操作を規制するようにしたので、トリガーレバー１０８を引き込もうとする力がストッパアーム１２の板幅方向に加わることになり、ストッパアーム１２を厚肉にすること無く薄肉の板状などであっても十分トリガーレバー１０８の引き込みを阻止することができる。
【００５３】
さらに、ストッパアーム１２の貫通部１４をトリガーレバー１０８の突起部１８に係合する場合にも、従来（図５参照）のトリガーレバー１３１の係合孔１３２にアーム１３４の係合突起１３５を係合してトリガーレバー１３１の操作を規制する機構に比べ、係合孔１３２部分の肉厚を厚くしたり係合突起１３５の肉厚を厚くしなければ成形誤差や組立誤差によって係合が行い難くなるのに比べ、ストッパアーム１２の弾性変形を利用して容易に係合することができ、しかも凸条２０で係合状態の確実に維持することができる。
【００５４】
また、このレバーストッパ機構１０では、ストッパアーム１２に設けた貫通部１４をトリガーレバー１０８の側面の突起部１８に係合してトリガーレバー１０８の操作を規制するようにしたので、トリガーレバー１０８の側面に設ける突起部１８の形成位置に自由度があり、従来（図５参照）のトリガーレバー１３１の係合孔１３２にアーム１３４の係合突起１３５を係合するストッパ機構では、係合孔１３２と係合突起１３５とを本体から離して配置すると、剛性を高めて係合の容易化を図る必要があるが、ストッパアーム１２が薄い板状であっても何等支障がなく、突起部１８を回動中心ＯＴ　から離れたトリガーレバー１０８の先端部側にすればする程ストッパアーム１２に加わる力を小さくでき、これによってストッパアーム１２の一層の薄肉化を図ることができ、成形コストを低減することができる。
【００５５】
したがって、このレバーストッパ機構１０によれば、ストッパアーム１２の貫通部１４やトリガーレバー１０８の側面の突起部１８の部品寸法などの成形精度や組立精度に対する要求が緩和され、しかも通常の割金型で成形することができ、製作が容易になるとともに、組立も容易となる。
【００５６】
なお、この実施の形態では、レバーストッパ機構１０を構成するストッパアーム１２等をバルブカバー１１に形成するようにしたが、これらを回転スライドバルブ１１２と一体に形成するようにしても良い。
【００５７】
次に、この発明のレバーストッパ機構の他の一実施の形態について図３により説明するが、既に説明した上記実施の形態と同一部分には同一記号を記し説明は省略する。
【００５８】
図３はこの発明のトリガーディスペンサのレバーストッパ機構の一実施の形態にかかり、（ａ）は回転スライドバルブの開状態の部分拡大斜視図、（ｂ）は回転スライドバルブの閉状態の正面図、（ｃ）は一部分を切り欠いて示す側面図である。
【００５９】
このトリガーディスペンサのレバーストッパ機構３０（以下、単にレバーストッパ機構３０とする）は、上記実施の形態で説明したレバーストッパ機構１０のストッパアーム１２と、トリガーレバー１０８の側面とに形成する係合部３１が異なるものであり、このレバーストッパ機構３０では、係合部３１を構成する貫通部３２をトリガーレバー１０８の側面に設け、突起部３５をストッパアーム１２に設けてある。
【００６０】
回転スライドバルブ１１２に被せられるバルブカバー１１に一体にストッパアーム１２が形成され、このストッパアーム１２が回転スライドバルブ１１２を閉状態に回動したときにトリガーレバー１０８の側面に当接するように形成してあり、トリガーレバー１０８の側面に係合部３１を構成する貫通部３２が前方の半円部３３とこれに続く開口部３４とで構成してある。
【００６１】
一方、貫通部３２と係合される突起部３５は、ストッパアーム１２のトリガーレバー１０８の側面と対向する部分１２ａに形成され、例えば円柱部３５ａで構成される。
【００６２】
そして、抜け止め部３６として突起部３５の円柱部３５ａの先端部外周に凸条３７が僅かに突き出して全周あるいは複数に分割して形成してある。
【００６３】
なお、他の構成は、既に説明したレバーストッパ機構１０と同一である。
【００６４】
このように構成したレバーストッパ機構３０では、回転スライドバルブ１１２にバルブカバー１１を被せるように取り付け、回転スライドバルブ１１２が閉状態に回動されたときにストッパアーム１２が略垂直下方に突き出すようにしておく。
【００６５】
そして、保管する場合や輸送する場合などに、回転スライドバルブ１１２を閉状態にすると、ストッパアーム１２の係合部３１を構成する突起部３５がトリガーレバー１０８の側面の貫通部３２に入るようになり、抜け止め部３６の凸条３７を乗り越えるようにしながら係合され、凸条が突き出した状態で完全な係合状態となる。
【００６６】
この状態でトリガーレバー１０８を引き込もうとしも係合部３１の貫通部３２と突起部３５とが係合状態となっているので、トリガーレバー１０８を操作することができない。
【００６７】
したがって、トリガーレバー１０８がわずかに引かれたり、外力などで引かれるのと同等の状態になることがなく、ポンプ室１０９内の内容液の圧力が累積的に上昇して蓄圧状態となることもなく、回転スライドバルブ１１２を噴射状態に切り替えた場合でもその瞬間、ポンプ室１０９内の内容液が不意に噴射されたり、液垂れを生じることがない。
【００６８】
このようなレバーストッパ機構３０によっても係合部３１を構成するストッパアーム１２に設けた突起部３５とトリガーレバー１０８の側面に設けた貫通部３２とを係合させることでトリガーレバー１０８の操作を規制することができる。
【００６９】
また、このレバーストッパ機構３０でも、トリガーレバー１０８の側面に設ける貫通部３２およびストッパアーム１２の突起部３５の形成位置に自由度があり、従来（図５参照）のストッパ機構のように剛性を高めて係合の容易化を図る必要がなく、ストッパアーム１２が薄い板状であっても何等支障がなく、貫通部３２および突起部３５を回動中心ＯＴ　から離れたトリガーレバー１０８の先端部側にすればする程、ストッパアーム１２に加わる力を小さくでき、これによってストッパアーム１２の一層の薄肉化を図ることができ、成形コストを低減することができる。
【００７０】
さらに、このレバーストッパ機構３０によっても、貫通部３２や突起部３５の部品寸法などの成形精度や組立精度に対する要求が緩和され、しかも通常の割金型で成形することができ、製作が容易になるとともに、組立も容易となるなど既に説明したレバーストッパ機構１０と同様の効果を奏するものである。
【００７１】
なお、この実施の形態では、レバーストッパ機構３０を構成するストッパアーム１２等をバルブカバー１１に形成するようにしたが、これらを回転スライドバルブ１１２と一体に形成するようにしても良い。
【００７２】
さらに、これら２つの実施の形態では、突起部１８，３５を逆Ｌ字状や円柱状に形成し、貫通部１４，３２を矩形の周囲が閉じられた形状や半円形で開口部を備える形状としたが、これらに限定するものでなく、長方形状や、多角形状、あるいは先端部が細く根元が太くなる傾斜面（テーパ面）などを備える形状として隙間無く互いを係合できるようにするなど、互いに係合できるものであれば、何等形状を制限するものでなく、貫通部はトリガーレバーの操作を規制する側が閉じられていれば、反規制側は開口部であっても閉じられた形状のいずれであっても良く、成形の都合などによって適宜定めれば良い。
【００７３】
また、これらレバーストッパ機構１０，３０のストッパアーム１２の先端部に、図１（ａ）および図３（ａ）に示すように、ストッパアーム１２をトリガーレバー１０８の側面に当接させて係合部１３，３１を互いに係合させたときに、トリガーレバー１０８の後端面に接触させる補助規制部としてストッパ片４１をストッパアーム１２から突き出すように形成しておくことで、このストッパ片４１によってもトリガーレバー１０８の引き込み操作を規制することができ、２重のストッパ機構によって一層確実にトリガーレバー１０８の操作を規制することができる。
【００７４】
【発明の効果】
以上実施の形態とともに具体的に説明したように、この発明の請求項１記載のトリガーディスペンサのレバーストッパ機構によれば、回転スライドバルブに連動するストッパアームを設け、ストッパアームとトリガーレバーの側面とに回転スライドバルブが閉塞位置に切り替えられたときにトリガーレバーの操作を規制する互いを係合する係合部を設けるようにしたので、ストッパアームを利用して回転スライドバルブを閉塞位置に回動すると、係合部が互いに係合されてトリガーレバーの操作を規制することができる。
【００７５】
これにより、トリガーレバーの先端部など回動中心から離れた位置に係合部を設けることも可能となり、簡単な構造で大きな力に耐え得るようにすることができ、通常の割金型を用いて成形することで、成形も容易にできる。
【００７６】
また、この発明の請求項２記載のトリガーディスペンサのレバーストッパ機構によれば、前記係合部を、前記ストッパアームと前記トリガーレバー側面のいずれか一方に設けられる突起部と、前記ストッパアームと前記トリガーレバー側面のいずれか他方に設けられ当該突起部が係合される凹部または貫通部とで構成するようにしたので、突起部と凹部または貫通部との簡単な構造で、トリガーレバーの操作を確実に規制することができる。
【００７７】
さらに、この発明の請求項３記載のトリガーディスペンサのレバーストッパ機構によれば、突起部の横断面形状を略Ｌ字状に形成するようにしたので、角部分の多い形状の突起部とすることで、遊びの影響を少なくして一層確実にトリガーレバーの操作を規制することができる。
【００７８】
また、この発明の請求項４記載のトリガーディスペンサのレバーストッパ機構によれば、前記係合部を構成する凹部または貫通部のトリガーレバーの引き込み操作の反規制側に開口部を形成して構成するようにしたので、操作の規制に必ずしも必要としない部分を開口部とすることで凹部や貫通部の成形を一層容易にすることができると同時に、確実にトリガーレバーの操作を規制することができる。
【００７９】
さらに、この発明の請求項５記載のトリガーディスペンサのレバーストッパ機構によれば、前記係合部に、互いの係合時に乗り越えさせ、その後に抜け止めとなる抜け止め部を形成するようにしたので、抜け止め部を乗り越えさせることで係合状態にしたことを確実に認識できるとともに、トリガーレバーの規制状態を確実に保持することができる。
【００８０】
また、この発明の請求項６記載のトリガーディスペンサのレバーストッパ機構によれば、前記ストッパアームに、閉塞途中で前記トリガーレバーと干渉するか、あるいは閉塞位置で前記トリガーレバーの後面と当接して引き込み操作を規制する補助規制部を形成するようにしたので、補助規制部によってもトリガーレバーの操作を規制でき、一層確実にトリガーレバーの操作を規制することができる。
【００８１】
さらに、この発明の請求項７記載のトリガーディスペンサのレバーストッパ機構によれば、前記ストッパアームを、前記回転スライドバルブに嵌合装着されるバルブカバーに一体に形成するようにしたので、回転スライドバルブと別体にすることで、成形を一層容易にすることができる。
【図面の簡単な説明】
【図１】この発明のトリガーディスペンサのレバーストッパ機構の一実施の形態にかかる回転スライドバルブの開状態での、（ａ）は概略斜視図、（ｂ）は部分拡大斜視図である。
【図２】この発明のトリガーディスペンサのレバーストッパ機構の一実施の形態にかかる回転スライドバルブの閉状態での、（ａ）は正面図、（ｂ）は側面図、（ｃ）は突起部のみの底面図である。
【図３】この発明のトリガーディスペンサのレバーストッパ機構の一実施の形態にかかり、（ａ）は回転スライドバルブの開状態の部分拡大斜視図、（ｂ）は回転スライドバルブの閉状態の正面図、（ｃ）は一部分を切り欠いて示す側面図である。
【図４】この発明のトリガーディスペンサのレバーストッパ機構が設けられるトリガーディスペンサで、（ａ）は正面図、（ｂ）は断面図である。
【図５】従来のトリガーディスペンサのレバーストッパ機構の概略斜視図および側面図である。
【符号の説明】
１０，３０　トリガーディスペンサのレバーストッパ機構
１１　バルブカバー
１２　ストッパアーム
１２ａ　対抗部分
１３，３１　係合部
１４，３２　貫通部
１５，３４　開口部
１６　長い溝
１７　段差部
１８，３５　突起部
１８ａ　垂直部
１８ｂ　水平部
１９　抜け止め部
２０，３７　凸条
３３　半円部
３５ａ　円柱部
４１　ストッパ片（補助規制部）
ＯＴ　　回動中心
１００　トリガーディスペンサ
１０１　吐出ノズル部
１０２　トリガーヘッド
１０３　容器
１０４　リテーナ
１０５　ディップチューブ
１０６　シリンダ
１０７　ピストン
１０８　トリガーレバー
１０９　ポンプ室
１１０　吐出弁機構
１１１　吸入弁機構
１１２　回転スライドバルブ
１１３　吸い込み管
１１４　側面
１１５　リブ
１１６　コンテナキャップ
【図１】
2004025083.tif 000003
【図２】
2004025083.tif 000004
【図３】
2004025083.tif 000005
【図４】
2004025083.tif 000006
【図５】
2004025083.tif 000007